(57)【要約】【課題】緊急時に安定して安否の確認ができるようにする。【解決手段】識別情報記憶部１０１は、携帯端末装置１００を利用している利用者の識別情報（個人識別情報）を記憶する。位置情報取得部１０２は、自装置（携帯端末装置１００）の所在地を示す位置情報を取得する。緊急地震速報受信部１０３は、緊急地震速報を受信する。送信部１０４は、緊急地震速報受信部１０３が緊急地震速報を受信すると、識別情報記憶部１０１に記憶されている個人識別情報および位置情報取得部１０２が取得した位置情報を、設定されているサーバ（位置安否確認サーバ１２０）に対して送信する。【選択図】  図１
2013066158.tif 000002
【特許請求の範囲】
【請求項１】
利用者の携帯電話番号、前記利用者の所属グループ番号、および前記利用者の属性情報の少なくとも１つを含む前記利用者の識別情報を記憶する識別情報記憶手段と、
自装置の所在地を示す位置情報を取得する位置情報取得手段と、
緊急地震速報を受信する緊急地震速報受信手段と、
前記緊急地震速報受信手段が緊急地震速報を受信すると、設定されているサーバに対し、前記識別情報記憶手段に記憶されている前記識別情報および前記位置情報取得手段が取得した位置情報を送信する送信手段と
を少なくとも備えることを特徴とする携帯電話。
【請求項２】
請求項１記載の携帯電話において、
前記位置情報取得手段は、前記緊急地震速報受信手段が緊急地震速報を受信すると、前記位置情報を取得することを特徴とする携帯電話。
【請求項３】
請求項１または２記載の携帯電話において、
入力された安否情報を記憶する安否情報記憶手段を備え、
前記送信手段は、前記安否情報記憶手段に記憶されている安否情報を前記識別情報とともに前記サーバに送信することを特徴とする携帯電話。
【請求項４】
携帯電話から送信された位置情報を識別情報とともに受信する位置情報受信手段と、
前記位置情報受信手段が受信した前記位置情報を前記識別情報に対応付けて記憶する位置情報記憶手段と、
携帯電話番号または所属グループ番号とともに受け付けた情報送信要求により、前記携帯電話番号の場合は、対応する位置情報、前記所属グループ番号の場合は、前記所属グループに所属する利用者全員分の対応する位置情報を前記情報送信要求の要求元に送信する送信手段と
を少なくとも備えることを特徴とするサーバ。
【請求項５】
請求項４記載のサーバにおいて、
前記情報送信要求の受け付けにより、要求対象の識別情報に対応する他携帯電話に位置情報の送出要求を送信する位置情報要求手段を備えることを特徴とするサーバ。
【請求項６】
請求項４または５記載のサーバにおいて、
前記携帯電話から送信された安否情報を前記識別情報とともに受信する安否情報受信手段と、
前記安否情報受信手段が受信した前記安否情報を前記識別情報に対応付けて記憶する安否情報記憶手段と、
前記携帯電話番号または前記所属グループ番号とともに受け付けた前記情報送信要求により、前記携帯電話番号の場合は、対応する安否情報、前記所属グループ番号の場合は、同一の前記所属グループ番号の利用者全員分の対応する安否情報を前記情報送信要求の要求元に送信する安否情報送信手段と
を備えることを特徴とするサーバ。
【請求項７】
請求項４〜６のいずれか１項に記載のサーバにおいて、
通知先の識別情報が記憶されている通知先情報記憶部を備え、
前記送信手段は、
前記位置情報受信手段が前記通知先情報記憶部に記憶されている識別情報とともに前記携帯電話から送信された位置情報を受信したことにより、前記通知先情報記憶部に記憶されている識別情報に対応づけられている所属グループ番号と同一の所属グループ番号が対応づけられている他の識別情報の位置情報を前記携帯電話に送信する
ことを特徴とするサーバ。
【請求項８】
コンピュータに、
利用者の識別情報を記憶する識別情報記憶機能と、
自装置の所在地を示す位置情報を取得する位置情報取得機能と、
緊急地震速報を受信する緊急地震速報受信機能と、
前記緊急地震速報受信機能が緊急地震速報を受信すると、前記識別情報記憶機能に記憶されている前記識別情報および前記位置情報取得機能が取得した位置情報とを設定されているサーバに対して送信する位置情報送信機能と
を実現させるためのプログラム。
【請求項９】
請求項８記載のプログラムにおいて、
前記位置情報取得機能は、前記緊急地震速報受信機能が緊急地震速報を受信すると、前記位置情報を取得し、設定されているサーバに対して前記位置情報を送信することを特徴とするプログラム。
【請求項１０】
請求項８または９記載のプログラムにおいて、
コンピュータに、
入力された安否情報を記憶する安否情報記憶機能と、
前記安否情報記憶機能に記憶されている安否情報を前記識別情報とともに前記サーバに送信する安否情報送信機能と
を実現させるためのプログラムをさらに備えることを特徴とするプログラム。
【請求項１１】
コンピュータに、
携帯電話から送信された位置情報を識別情報とともに受信する位置情報受信機能と、
前記位置情報受信機能が受信した前記位置情報を前記識別情報に対応付けて記憶する位置情報記憶機能と、
利用者の携帯電話番号または利用者の所属グループ番号とともに受け付けた情報送信要求により、前記携帯電話番号の場合は、対応する位置情報、前記所属グループ番号の場合は、前記所属グループに所属する利用者全員分の対応する位置情報を前記情報送信要求の要求元に送信する位置情報送信機能と
を実現させるためのプログラム。
【請求項１２】
請求項１１記載のプログラムにおいて、
コンピュータに、
前記情報送信要求の受け付けにより、要求対象の識別情報に対応する他携帯電話に位置情報の送出要求を送信する位置情報要求機能を実現させるためのプログラムをさらに備えることを特徴とするサーバ。
【請求項１３】
請求項１１または１２記載のプログラムにおいて、
コンピュータに、
前記携帯電話から送信された安否情報を前記識別情報とともに受信する安否情報受信機能と、
前記安否情報受信機能が受信した前記安否情報を前記識別情報に対応付けて記憶する安否情報記憶機能と、
前記携帯電話番号または前記所属グループ番号とともに受け付けた前記情報送信要求により、前記携帯電話番号の場合は、対応する安否情報、前記所属グループ番号の場合は、前記所属グループに所属する利用者全員分の対応する安否情報を前記情報送信要求の要求元に送信する安否情報送信機能と
を実現させるためのプログラムをさらに備えることを特徴とするプログラム。
【請求項１４】
請求項１１〜１３のいずれか１項に記載のプログラムにおいて、
コンピュータに、
通知先の識別情報を記憶する通知先情報記憶機能を実現させるためのプログラムをさらに備え、
前記位置情報送信機能は、
前記位置情報受信機能が前記通知先情報記憶機能により記憶されている識別情報とともに前記携帯電話から送信された位置情報を受信したことにより、前記通知先情報記憶機能により記憶されている識別情報に対応づけられている所属グループ番号と同一の所属グループ番号が対応づけられている他の識別情報の位置情報を前記携帯電話に送信する
ことを特徴とするプログラム。
【発明の詳細な説明】
【技術分野】
【０００１】
本発明は、緊急情報の送受信を行う携帯電話およびサーバならびにプログラムに関するものである。
【背景技術】
【０００２】
災害発生時にシステム利用者がサーバに対して自発的に登録した安否情報をもとに、システム管理者が他のシステム利用者の安否情報を確認する安否確認システムが提案されている（特許文献１参照）。この安否確認システムでは、災害発生時に、システム管理者がシステム利用者に対してシステムに安否情報の登録を依頼する。各システム利用者は、依頼を元に自分の携帯端末装置からサーバにアクセスし、携帯端末装置に入力した安否情報をサーバに送信する。サーバでは、各携帯端末から送られてきた安否情報を蓄積し、システム管理者が閲覧できるようにする。
【０００３】
また、いわゆる「緊急地震速報」が、気象庁より提供されている。緊急地震速報では、地震動の初動（Ｐ波）により、地震動の大きさおよび到達範囲が予測され、これらの予測情報を発生した地震の影響が及ぶ地域に向け、放送事業者、通信事業者によって同報配信する（非特許文献１参照）。
【先行技術文献】
【特許文献】
【０００４】
【特許文献１】特許第４５３６５４２号公報
【非特許文献】
【０００５】
【非特許文献１】「緊急地震速報を適切に利用するために必要な受信端末の機能及び配信能力に関するガイドライン」http://www.seisvol.kishou.go.jp/eq/EEW/kaisetsu/guideline.pdf
【発明の概要】
【発明が解決しようとする課題】
【０００６】
ところで、大規模災害時には、被災区域が広域に及ぶため、該当する区域内に所在する人の携帯電話からの通信量が急激に増加し、通信網が輻輳状態になる恐れがある。このような輻輳状態では、特許文献１に示されているような安否確認システムにおいて、携帯電話とサーバとの間の通信が正常に行えず、安否確認システムが正常に稼働しないという問題がある。
【０００７】
本発明は、以上のような問題点を解消するためになされたものであり、緊急時に安定して安否の確認ができるようにすることを目的とする。
【課題を解決するための手段】
【０００８】
本発明に係る携帯電話は、利用者の携帯電話番号、利用者の所属グループ番号、および利用者の属性情報の少なくとも１つを含む利用者の識別情報を記憶する識別情報記憶手段と、自装置の所在地を示す位置情報を取得する位置情報取得手段と、緊急地震速報を受信する緊急地震速報受信手段と、緊急地震速報受信手段が緊急地震速報を受信すると、設定されているサーバに対し、識別情報記憶手段に記憶されている識別情報および位置情報取得手段が取得した位置情報を送信する送信手段とを少なくとも備える。
【０００９】
上記携帯電話において、位置情報取得手段は、緊急地震速報受信手段が緊急地震速報を受信すると、位置情報を取得するようにすればよい。また、入力された安否情報を記憶する安否情報記憶手段を備え、送信手段は、安否情報記憶手段に記憶されている安否情報を識別情報とともにサーバに送信するようにしてもよい。
【００１０】
本発明に係るサーバは、携帯電話から送信された位置情報を識別情報とともに受信する位置情報受信手段と、位置情報受信手段が受信した位置情報を識別情報に対応付けて記憶する位置情報記憶手段と、携帯電話番号または所属グループ番号とともに受け付けた情報送信要求により、携帯電話番号の場合は、対応する位置情報、所属グループ番号の場合は、所属グループに所属する利用者全員分の対応する位置情報を情報送信要求の要求元に送信する送信手段とを少なくとも備える。
【００１１】
上記サーバにおいて、情報送信要求の受け付けにより、要求対象の識別情報に対応する他携帯電話に位置情報の送出要求を送信する位置情報要求手段を備えるようにしてもよい。
【００１２】
上記サーバにおいて、携帯電話から送信された安否情報を識別情報とともに受信する安否情報受信手段と、安否情報受信手段が受信した安否情報を識別情報に対応付けて記憶する安否情報記憶手段と、携帯電話番号または所属グループ番号とともに受け付けた情報送信要求により、携帯電話番号の場合は、対応する安否情報、所属グループ番号の場合は、同一の所属グループ番号の利用者全員分の対応する安否情報を情報送信要求の要求元に送信する安否情報送信手段とを備えるようにしてもよい。
【００１３】
上記サーバにおいて、通知先の識別情報が記憶されている通知先情報記憶部を備え、送信手段は、位置情報受信手段が通知先情報記憶部に記憶されている識別情報とともに携帯電話から送信された位置情報を受信したことにより、通知先情報記憶部に記憶されている識別情報に対応づけられている所属グループ番号と同一の所属グループ番号が対応づけられている他の識別情報の位置情報を携帯電話に送信するようにしてもよい。
【００１４】
本発明に係るプログラムは、コンピュータに、利用者の識別情報を記憶する識別情報記憶機能と、自装置の所在地を示す位置情報を取得する位置情報取得機能と、緊急地震速報を受信する緊急地震速報受信機能と、緊急地震速報受信機能が緊急地震速報を受信すると、識別情報記憶機能に記憶されている識別情報および位置情報取得機能が取得した位置情報とを設定されているサーバに対して送信する位置情報送信機能とを実現させる。
【００１５】
上記プログラムにおいて、位置情報取得機能は、緊急地震速報受信機能が緊急地震速報を受信すると、位置情報を取得し、設定されているサーバに対して位置情報を送信する。
【００１６】
上記プログラムにおいて、コンピュータに、入力された安否情報を記憶する安否情報記憶機能と、安否情報記憶機能に記憶されている安否情報を識別情報とともにサーバに送信する安否情報送信機能とを実現させるためのプログラムをさらに備えるようにしてもよい。
【００１７】
本発明に係る他のプログラムは、コンピュータに、携帯電話から送信された位置情報を識別情報とともに受信する位置情報受信機能と、位置情報受信機能が受信した位置情報を識別情報に対応付けて記憶する位置情報記憶機能と、利用者の携帯電話番号または利用者の所属グループ番号とともに受け付けた情報送信要求により、携帯電話番号の場合は、対応する位置情報、所属グループ番号の場合は、所属グループに所属する利用者全員分の対応する位置情報を情報送信要求の要求元に送信する位置情報送信機能とを実現させる。
【００１８】
上記プログラムにおいて、コンピュータに、情報送信要求の受け付けにより、要求対象の識別情報に対応する他携帯電話に位置情報の送出要求を送信する位置情報要求機能をさらに備えるようにしてもよい。
【００１９】
上記プログラムにおいて、コンピュータに、携帯電話から送信された安否情報を識別情報とともに受信する安否情報受信機能と、安否情報受信機能が受信した安否情報を識別情報に対応付けて記憶する安否情報記憶機能と、携帯電話番号または所属グループ番号とともに受け付けた情報送信要求により、携帯電話番号の場合は、対応する安否情報、所属グループ番号の場合は、所属グループに所属する利用者全員分の対応する安否情報を情報送信要求の要求元に送信する安否情報送信機能とを実現させるためのプログラムをさらに備えるようにしてもよい。
【００２０】
上記プログラムにおいて、コンピュータに、通知先の識別情報を記憶する通知先情報記憶機能を実現させるためのプログラムをさらに備え、位置情報送信機能は、位置情報受信機能が通知先情報記憶機能により記憶されている識別情報とともに携帯電話から送信された位置情報を受信したことにより、通知先情報記憶機能により記憶されている識別情報に対応づけられている所属グループ番号と同一の所属グループ番号が対応づけられている他の識別情報の位置情報を携帯電話に送信する。
【発明の効果】
【００２１】
以上説明したことにより、本発明によれば、緊急時に安定して安否の確認ができるようになり、また、確認したい人の電話番号さえわかれば、確認したい人の安否を確認することもできるようになるという優れた効果が得られる。
【図面の簡単な説明】
【００２２】
【図１】図１は、本発明の実施の形態１における携帯電話およびサーバを用いた位置安否情報確認システムの構成を示す構成図である。
【図２】図２は、本発明の実施の形態１における携帯電話およびサーバを用いた位置安否情報確認システムの動作例を説明するためのシーケンス図である。
【図３】図３は、本発明の実施の形態１における携帯電話およびサーバを用いた位置安否情報確認システムの動作例を説明するためのシーケンス図である。
【図４】図４は、本発明の実施の形態１における携帯電話およびサーバを用いた位置安否情報確認システムの動作例を説明するためのシーケンス図である。
【図５】図５は、本発明の実施の形態１における携帯電話およびサーバを用いた位置安否情報確認システムの動作例を説明するためのシーケンス図である。
【図６】図６は、本発明の実施の形態１における携帯電話およびサーバを用いた位置安否情報確認システムの動作例を説明するためのシーケンス図である。
【図７】図７は、本発明の実施の形態１における携帯電話およびサーバを用いた位置安否情報確認システムの動作例を説明するためのシーケンス図である。
【図８】図８は、本発明の実施の形態１における携帯電話およびサーバを用いた位置安否情報確認システムの動作例を説明するためのシーケンス図である。
【図９】図９は、本発明の実施の形態１における携帯電話およびサーバを用いた位置安否情報確認システムの動作例を説明するためのシーケンス図である。
【図１０】図１０は、本発明の実施の形態１における携帯電話およびサーバを用いた位置安否情報確認システムの動作例を説明するためのシーケンス図である。
【図１１】図１１は、本発明の実施の形態１における携帯電話の画面表示例を示す説明図である。
【図１２】図１２は、本発明の実施の形態１における携帯電話の画面表示例を示す説明図である。
【図１３】図１３は、本発明の実施の形態１における携帯電話の画面表示例を示す説明図である。
【図１４】図１４は、本発明の実施の形態１における携帯電話の画面表示例を示す説明図である。
【図１５】図１５は、本発明の実施の形態１における携帯電話の画面表示例を示す説明図である。
【図１６】図１６は、本発明の実施の形態２における携帯電話およびサーバを用いた位置安否情報確認システムの構成を示す構成図である。
【図１７】図１７は、本発明の実施の形態２における携帯電話およびサーバを用いた位置安否情報確認システムの動作例を説明するためのシーケンス図である。
【図１８】図１８は、本発明の実施の形態２における携帯電話およびサーバを用いた位置安否情報確認システムの動作例を説明するためのシーケンス図である。
【発明を実施するための形態】
【００２３】
以下、本発明の実施の形態について図を参照して説明する。
【００２４】
［実施の形態１］
はじめに、本発明の実施の形態１について、図１を用いて説明する。図１は、本発明の実施の形態１における携帯電話およびサーバを用いた位置安否情報確認システムの構成を示す構成図である。このシステムは、携帯電話１００および位置安否確認サーバ１２０を備える。携帯電話１００は、携帯電話通信網１３０に接続されている。また、位置安否確認サーバ１２０は、インターネット１６０を介して携帯電話通信網１３０に接続されている。
【００２５】
携帯電話１００は、識別情報記憶部１０１，位置情報取得部１０２，緊急地震速報受信部１０３，および送信部１０４を備える。
【００２６】
識別情報記憶部１０１は、携帯電話１００を利用している利用者の識別情報（個人識別情報）を記憶する。この識別情報は、利用者の携帯電話番号、利用者の所属グループ番号、および利用者の属性情報の少なくとも１つを含むものである。これらの情報は、利用者の情報入力操作により記憶されるものである。位置情報取得部１０２は、自装置（携帯電話１００）の所在地を示す位置情報を取得する。緊急地震速報受信部１０３は、緊急地震速報を受信する。送信部１０４は、緊急地震速報受信部１０３が緊急地震速報を受信すると、識別情報記憶部１０１に記憶されている個人識別情報および位置情報取得部１０２が取得した位置情報を、設定されているサーバ（位置安否確認サーバ１２０）に対して送信する。
【００２７】
また、携帯電話１００は、安否情報記憶部１０５，携帯電話会社緊急地震速報受信部１０６，安否情報確認部１０７，安否情報検索部１０８，および安否情報表示部１０９を備える。
【００２８】
安否情報記憶部１０５は、利用者の操作により入力された安否情報を記憶する。携帯電話会社緊急地震速報受信部１０６は、CBS（Cell Broadcast Service）形式やETWS(Earthquake and Tsunami Warning System)形式、ブロードキャストSMS(BCSMS)形式等で配信される各携帯電話会社による緊急地震速報、および災害・避難情報などを受信する。安否情報確認部１０７は、利用者の指示操作により、設定されているサーバ（位置安否確認サーバ１２０）に対し、個人識別情報とともに位置情報の送出要求を送信する。また、安否情報確認部１０７は、利用者の指示操作により、設定されているサーバに対し、安否情報の送出要求を個人識別情報とともに送信する。
【００２９】
安否情報検索部１０８は、利用者の操作により入力された対象となる携帯電話の位置情報の送出要求を、設定されているサーバ（位置安否確認サーバ１２０）に対して送信する。安否情報検索部１０８は、利用者の操作により入力された対象となる携帯電話に対応する安否情報の送出要求を、設定されているサーバに対して送信する。例えば、利用者の操作により所属グループ番号が入力され、入力された所属グループ番号が、各情報の送出要求とともに送信される。この所属グループ番号としては、所属グループに含まれている個人識別情報で特定される家族の居所（住居）で用いられている固定電話の電話番号が用いられる。
【００３０】
安否情報表示部１０９は、安否情報確認部１０７および安否情報検索部１０８から送信された要求に対して送出されてきた位置情報や安否情報を，自装置の表示画面（不図示）に表示する。
【００３１】
位置安否確認サーバ１２０は、受信部（位置情報受信手段）１２１，情報記憶部（位置情報記憶手段）１２２，情報解析部１２３，および位置安否情報配信部（送信手段）１２４を備える。
【００３２】
受信部１２１は、携帯電話１００から送信された位置情報を個人識別情報とともに受信する。また、受信部１２１は、携帯電話１００や端末装置１７０より送信された安否情報の送出要求を、識別情報とともに受信する。端末装置１７０は、例えばパーソナルコンピュータである。情報記憶部１２２は、受信部１２１が受信した位置情報を個人識別情報に対応付けて記憶する。情報記憶部１２２には、利用者の携帯電話番号、利用者の所属グループ番号、および利用者の属性情報を含む識別情報が記憶されており、記憶されている各情報は、例えば、予め（事前に）受信して登録されているものである。
【００３３】
また、情報解析部１２３は、個人識別情報とともに受け付けた情報送信要求により、個人識別情報に対応付けられている所属グループ番号に含まれている（同一の所属グループ番号の）他の個人識別情報に対応する位置情報や安否情報を、情報記憶部１２２より取り出す。また、情報解析部１２３は、所属グループ番号とともに安否情報の送信要求が受け付けられると、受け付けられた所属グループ番号に含まれている個人識別情報に対応付けられている位置情報や安否情報を、情報記憶部１２２より取り出す。
【００３４】
位置安否情報配信部１２４は、情報解析部１２３が情報記憶部１２２より取り出した位置情報や安否情報を、要求元の携帯電話１００や端末装置１７０に送出する。
【００３５】
また、実施の形態１におけるシステムは、携帯電話通信網１３０に接続する携帯電話会社緊急地震速報発信部１３１およびインターネット１６０に接続する緊急地震速報サーバ１４０を備える。緊急地震速報サーバ１４０は、気象庁１５０より配信された緊急地震速報を、インターネット１６０を介して受信部１４１で受信し、緊急地震速報配信部１４２によりインターネット１６０を介して携帯電話通信網１３０に配信する。また、気象庁１５０より緊急地震速報が配信されると、携帯電話会社緊急地震速報発信部１３１より緊急地震速報が配信される。なお、インターネット１６０には、端末装置１７０が接続されている。
【００３６】
上述した各情報の送信は、ＨＴＴＰ（HyperText Transfer Protocol）により行われる。このため、上記各情報の送信においては、メールサーバーなどを経由することがないので、携帯電話通信網１３０の輻輳の影響を受けにくくなり、輻輳を招きにくくなる。また、メールサーバに留まって実際に相手先に到達しないなどの問題も発生しにくい。
【００３７】
次に、実施の形態１におけるシステムの動作例について説明する。まず、緊急地震速報が発令されたときの動作について説明する。
【００３８】
図２のシーケンス図に示すように、気象庁１５０より緊急地震速報が配信（発信）されると、緊急地震速報サーバ１４０（受信部１４１）が、ステップＳ２０１でインターネット１６０を介して受信し、ステップＳ２０２で、インターネット１６０を介して携帯電話通信網１３０に配信する。
【００３９】
このようにして、携帯電話通信網１３０に緊急地震速報が配信されると、携帯電話１００では、緊急地震速報受信部１０３が受信し（ステップＳ２０３）、自装置の表示画面（不図示）に表示する（ステップＳ２０４）。このとき、音声および振動などにより、利用者に通知を行ってもよい。
【００４０】
次に、携帯電話１００では、位置情報取得部１０２が、位置情報を取得する（ステップＳ２０５）。例えば、ＧＰＳ（Global Positioning System）により位置情報を取得する。また、Ｗｉ−Ｆｉ（wireless fidelity：登録商標）のアンテナ情報から位置情報を取得してもよい。また、携帯電話基地局を利用して位置情報を取得してもよい。このようにして位置情報を取得すると、携帯電話１００では、送信部１０４が、設定されているサーバに対し、識別情報記憶部１０１に記憶されている識別情報（携帯電話番号）とともに位置情報を送信する（ステップＳ２０６）。例えば携帯電話１００には、位置情報の送信先として、位置安否確認サーバ１２０が登録設定されており、送信部１０４は、携帯電話通信網１３０およびインターネット１６０を介し、位置安否確認サーバ１２０に対して識別情報とともに上記位置情報を送信する。
【００４１】
上述したステップＳ２０５，Ｓ２０６の処理は、ステップＳ２０３の後、例えば、ステップＳ２０４の処理と並列して行われ、また、これらの処理は瞬時に行われるので、緊急地震速報を受信した直後に、位置安否確認サーバ１２０に対する情報の送信が行われる。実施の形態１では、携帯電話１００は、上述したように緊急地震速報を受信すると、直ちに、位置安否確認サーバ１２０に対して識別情報とともに位置情報を送信するところが特徴である。
【００４２】
以上のようにして、携帯電話１００より識別情報とともに位置情報が送信されると、位置安否確認サーバ１２０では、受信部１２１が、送信された識別情報および位置情報を、インターネット１６０および携帯電話通信網１３０を介して受信する（ステップＳ２０７）。次に、位置安否確認サーバ１２０では、情報記憶部１２２が、受信した位置情報を識別情報に対応付けて記憶する（ステップＳ２０８）。また、情報記憶部１２２は、受信した位置情報に、受信した日時を対応付けて記憶する。
【００４３】
図２を用いて説明したように、位置情報が送信された後、図３のシーケンス図に示すように、利用者の操作により携帯電話１００の安否情報記憶部１０５に安否情報が入力・記憶されると（ステップＳ３０１）、位置情報取得部１０２が、位置情報を取得する（ステップＳ３０２）。次に、送信部１０４が、設定されているサーバに対し、識別情報記憶部１０１に記憶されている識別情報とともに入力された安否情報および取得された位置情報を送信する（ステップＳ３０３）。例えば携帯電話１００には、位置情報の送信先として、位置安否確認サーバ１２０が登録設定されており、送信部１０４は、携帯電話通信網１３０およびインターネット１６０を介し、位置安否確認サーバ１２０に対して識別情報とともに上記安否情報および位置情報を送信する。
【００４４】
以上のようにして、携帯電話１００より識別情報とともに位置情報が送信されると、位置安否確認サーバ１２０では、受信部１２１が、送信された識別情報，位置情報，および安否情報を、携帯電話通信網１３０およびインターネット１６０を介して受信する（ステップＳ３０４）。次に、位置安否確認サーバ１２０では、情報記憶部１２２が、受信した位置情報および安否情報を識別情報に対応付けて記憶する（ステップＳ３０５）。また、情報記憶部１２２は、受信した安否情報および位置情報に、受信した日時を対応付けて記憶する。
【００４５】
上述では、緊急地震速報サーバ１４０より緊急地震速報が配信された場合について説明したが、次に示すように、携帯電話会社緊急地震速報発信部１３１により緊急地震速報が配信された場合についても同様である。
【００４６】
図４のシーケンス図に示すように、携帯電話会社緊急地震速報発信部１３１により緊急地震速報が配信されると、携帯電話１００では、緊急地震速報受信部１０３が受信し（ステップＳ４０１）、自装置の表示画面（不図示）に表示する（ステップＳ４０２）。このとき、音声および振動などにより、利用者に通知を行ってもよい。
【００４７】
次に、携帯電話１００では、位置情報取得部１０２が、位置情報を取得する（ステップＳ４０３）。このようにして位置情報を取得すると、携帯電話１００では、送信部１０４が、設定されている位置安否確認サーバ１２０に対し、識別情報記憶部１０１に記憶されている識別情報とともに位置情報を送信する（ステップＳ４０４）
【００４８】
上述したステップＳ４０３，Ｓ４０４の処理は、ステップＳ４０１の後、例えば、ステップＳ４０２の処理と並列して行われ、また、これらの処理は瞬時に行われるので、緊急地震速報を受信した直後に、位置安否確認サーバ１２０に対する情報の送信が行われる。実施の形態１では、携帯電話１００は、上述したように緊急地震速報を受信すると、直ちに、位置安否確認サーバ１２０に対して識別情報とともに位置情報を送信するところが特徴である。
【００４９】
以上のようにして、携帯電話１００より識別情報とともに位置情報が送信されると、位置安否確認サーバ１２０では、受信部１２１が、送信された識別情報および位置情報を、携帯電話通信網１３０およびインターネット１６０を介して受信する（ステップＳ４０５）。次に、位置安否確認サーバ１２０では、情報記憶部１２２が、受信した位置情報を識別情報に対応付けて記憶する（ステップＳ４０６）。また、情報記憶部１２２は、受信した位置情報に、受信した日時を対応付けて記憶する。
【００５０】
図４を用いて説明したように、位置情報が送信された後、図５のシーケンス図に示すように、利用者の操作により携帯電話１００の安否情報記憶部１０５に安否情報が入力・記憶されると（ステップＳ５０１）、位置情報取得部１０２が、位置情報を取得する（ステップＳ５０２）。次に、送信部１０４が、設定されている位置安否確認サーバ１２０に対し、識別情報記憶部１０１に記憶されている識別情報とともに入力された安否情報および取得された位置情報を送信する（ステップＳ５０３）。
【００５１】
以上のようにして、携帯電話１００より識別情報とともに位置情報・安否情報が送信されると、位置安否確認サーバ１２０では、受信部１２１が、送信された識別情報，位置情報，および安否情報を、携帯電話通信網１３０およびインターネット１６０を介して受信する（ステップＳ５０４）。次に、位置安否確認サーバ１２０では、情報記憶部１２２が、受信した位置情報および安否情報を識別情報に対応付けて記憶する（ステップＳ５０５）。また、情報記憶部１２２は、受信した安否情報および位置情報に、受信した日時を対応付けて記憶する。
【００５２】
次に、携帯電話１００より位置情報や安否情報の送出（送信）要求が出されたときの動作について説明する。
【００５３】
図６のシーケンス図に示すように、利用者の操作により携帯電話１００に安否確認対象の個人識別情報（携帯電話番号）および安否情報の送信要求が入力されると、安否情報確認部１０７が、入力された個人識別情報とともに安否情報の送信要求を位置安否確認サーバ１２０に送信する（ステップＳ６０１）。位置安否確認サーバ１２０は、携帯電話１００に、安否情報の要求先として設定されているサーバである。
【００５４】
以上のようにして送信された安否情報の送信要求および個人識別情報が、位置安否確認サーバ１２０の受信部１２１で受け付けられると（ステップＳ６０２）、情報解析部１２３は、受け付けられた個人識別情報に対応する位置情報や安否情報を、情報記憶部１２２より取り出す（ステップＳ６０３）。
【００５５】
以上のようにして情報記憶部１２２より位置情報や安否情報が取り出されると、位置安否情報配信部１２４が、要求元の携帯電話１００に対して送信（配信）する（ステップＳ６０４）。この場合、安否情報の送信要求は、携帯電話１００より携帯電話通信網１３０を介して送られてきているので、位置安否情報配信部１２４は、携帯電話通信網１３０を介し、携帯電話１００に上記情報を送信する。このようにして送信された位置・安否情報は、携帯電話１００で受信され、安否情報表示部１０９の制御により表示画面（不図示）に表示される（ステップＳ６０５）。
【００５６】
次に、端末装置１７０より位置情報や安否情報の要求が出されたときの動作について説明する。
【００５７】
図７のシーケンス図に示すように、利用者の操作により端末装置１７０に安否確認対象の個人識別情報（携帯電話番号）および安否情報の送信要求が入力されると、入力された個人識別情報とともに安否情報の送信要求を位置安否確認サーバ１２０に送信する（ステップＳ７０１）。位置安否確認サーバ１２０は、端末装置１７０に、安否情報の要求先として設定されているサーバである。
【００５８】
以上のようにして送信された安否情報の送信要求および個人識別情報が、位置安否確認サーバ１２０の受信部１２１で受け付けられると（ステップＳ７０２）、情報解析部１２３は、受け付けられた個人識別情報に対応する位置情報や安否情報を、情報記憶部１２２より取り出す（ステップＳ７０３）。
【００５９】
以上のようにして情報記憶部１２２より位置情報や安否情報が取り出されると、位置安否情報配信部１２４が、要求元の端末装置１７０に対して送信（配信）する（ステップＳ７０４）。この場合、安否情報の送信要求は、端末装置１７０よりインターネット１６０を介して送られてきているので、位置安否情報配信部１２４は、インターネット１６０を介し、端末装置１７０に上記情報を送信する。このようにして送信された位置・安否情報は、端末装置１７０で受信されて表示画面（不図示）に表示される（ステップＳ７０５）。
【００６０】
次に、携帯電話１００より、所属グループ番号で識別される対象の位置情報や安否情報の要求が出されたときの動作について説明する。
【００６１】
図８のシーケンス図に示すように、利用者の操作により携帯電話１００に安否情報の送信要求および所属グループ番号が入力されると、安否情報確認部１０７が、入力された所属グループ番号とともに安否情報の送信要求を位置安否確認サーバ１２０に送信する（ステップＳ８０１）。
【００６２】
以上のようにして送信された安否情報の送信要求および所属グループ番号が、位置安否確認サーバ１２０の受信部１２１で受け付けられると（ステップＳ８０２）、情報解析部１２３は、受け付けられた所属グループ番号を検索キーとして、情報記憶部１２２に記憶されている位置安否情報を検索する（ステップＳ８０３）。情報解析部１２３は、受け付けられた所属グループ番号に含まれている個人識別情報に対応付けられている位置情報や安否情報を、情報記憶部１２２より取り出す。
【００６３】
ここで、所属グループ番号に含まれている個人識別情報で特定される利用者のグループは、例えば家族であり、所属グループ番号として当該家族の居所で用いられている固定電話の電話番号を用いるとよい。このような電話番号を用いることで、利用者にとっては、新たな識別情報を用いることなく、例えば親族の安否情報を知りたい場合、親族の家庭で用いられている既知の電話番号で位置情報および安否情報の検索が行えるようになる。
【００６４】
以上のようにして情報記憶部１２２より位置情報や安否情報が取り出されると、位置安否情報配信部１２４が、要求元の携帯電話１００に対して送信（配信）する（ステップＳ８０４）。この場合、安否情報の送信要求は、携帯電話１００より携帯電話通信網１３０を介して送られてきているので、位置安否情報配信部１２４は、携帯電話通信網１３０を介し、携帯電話１００に上記情報を送信する。このようにして送信された位置・安否情報は、携帯電話１００で受信され、安否情報表示部１０９の制御により表示画面（不図示）に表示される（ステップＳ８０５）。
【００６５】
次に、端末装置１７０より、所属グループ番号で識別される対象の位置情報や安否情報の要求が出されたときの動作について説明する。
【００６６】
図９のシーケンス図に示すように、利用者の操作により端末装置１７０に安否情報の送信要求および所属グループ番号（固定電話番号）が入力されると、入力された固定電話番号とともに安否情報の送信要求を位置安否確認サーバ１２０に送信する（ステップＳ９０１）。
【００６７】
以上のようにして送信された安否情報の送信要求および固定電話番号が、位置安否確認サーバ１２０の受信部１２１で受け付けられると（ステップＳ９０２）、情報解析部１２３は、受け付けられた固定電話番号を検索キーとして、情報記憶部１２２に記憶されている位置安否情報を検索する（ステップＳ９０３）。情報解析部１２３は、受け付けられた固定電話番号に含まれている個人識別情報に対応付けられている位置情報や安否情報を、情報記憶部１２２より取り出す。
【００６８】
以上のようにして情報記憶部１２２より位置情報や安否情報が取り出されると、位置安否情報配信部１２４が、要求元の端末装置１７０に対して送信（配信）する（ステップＳ９０４）。この場合、安否情報の送信要求は、端末装置１７０よりインターネット１６０を介して送られてきているので、位置安否情報配信部１２４は、インターネット１６０を介し、端末装置１７０に上記情報を送信する。このようにして送信された位置・安否情報は、端末装置１７０で受信されて表示画面（不図示）に表示される（ステップＳ９０５）。
【００６９】
次に、携帯電話１００に入力された各情報を、位置安否確認サーバ１２０に設定登録するときの動作について説明する。
【００７０】
図１０のシーケンス図に示すように、利用者の操作により携帯電話１００に個人識別情報や所属グループ番号などの各情報が入力されると（ステップＳ１００１）、入力された情報を送信部１０４が、位置安否確認サーバ１２０に送信する（ステップＳ１００２）。
【００７１】
以上のようにして各情報が送信されると、位置安否確認サーバ１２０で受信され（ステップＳ１００３）、情報解析部１２３で分類される（ステップＳ１００４）。次に、分類された各情報が、情報記憶部１２２に記憶される（ステップＳ１００５）。
【００７２】
次に、情報記憶部１２２に記憶されている情報について、表１を用いて説明する。
【００７３】
【表１】
2013066158.tif 000003
【００７４】
情報記憶部１２２には、例えば、個人識別情報として「ＡＡＡ−ＡＡＡＡＡ−ＡＡＡＡ」などのログイン情報、所属グループ番号として「ＸＸ−ＸＸＸＸ−ＸＸＸＸ」などの家族ＩＤ、属性情報として家族内の続柄、送信されてきた位置情報、送信されてきた安否情報、および位置情報が受信された受信日時が記憶されている。また、送信されてきたコメントも記憶されている。
【００７５】
次に、本発明の実施の形態１における携帯電話１００の画面表示について説明する。
【００７６】
まず、利用者の操作により位置情報安否情報機能が起動されると、図１１に示すように、位置安否情報メニューの画面が表示され、この画面内に、「安否情報入力」，「家族位置情報確認」，「知人位置情報確認」，「個人設定登録／変更」，および「終了」のシンボルが表示される。
【００７７】
利用者の操作により、「位置安否情報入力」のシンボルがタッチされると、安否情報を入力するための画面に遷移する。また、「家族位置情報確認」のシンボルがタッチされると、携帯電話１００では、安否情報確認部１０７が、位置安否確認サーバ１２０に対し、個人識別情報とともに位置情報の送出要求を送信する。この結果、位置安否確認サーバ１２０より要求した位置・安否情報を受け取ると、グループ位置安否確認画面に遷移する。また、「知人位置情報確認」のシンボルがタッチされると、知人位置情報の送出を要求するための知人位置安否情報検索画面に遷移する。また、「個人設定登録／変更」のシンボルがタッチされると、各情報を入力設定もしくは変更するための画面に遷移する。なお、「終了」のシンボルがタッチされると、位置情報安否情報機能が終了する。
【００７８】
安否情報を入力するための画面では、図１２に示すように、怪我の有無を選択するためのラジオボタン、コメントを入力するための領域、「送信」および「キャンセル」のシンボルが表示されている。例えば、「○  無」のラジオボタンをタッチすることで、安否情報として怪我無しが入力される。また、「コメント」の表記の横にある四角の領域をタッチすることで、コメントをテキストデータで入力することが可能な状態となる。これらの情報が入力された後、「送信」のシンボルがタッチされると、携帯電話１００では、送信部１０４が、入力された各情報を位置安否確認サーバ１２０に送信する。なお、「キャンセル」のシンボルがタッチされると、位置安否情報メニューの画面に遷移する。
【００７９】
グループ位置安否確認画面では、図１３の（ａ）に示すように、送出した個人識別情報に対応するグループＩＤ「ＸＸ−ＸＸＸＸ−ＸＸＸＸ」が対応付けられている各利用者の位置情報などが表示される。また、表示されているいずれかの利用者の領域をタッチすることで、図１３の（ｂ）に示すように、当該利用者の位置情報が地図上に表示される。このように、検索結果が表示される。
【００８０】
知人位置安否情報検索画面では、図１４に示すように、グループＩＤを入力する領域、ログインＩＤを入力する領域、「検索」および「キャンセル」のシンボルが表示される。「グループＩＤ（家族ＩＤ）」の表記の横にある四角の領域をタッチすることで、検索したい対象のグループＩＤが入力可能な状態となる。また、「ログインＩＤ」の表記の横にある四角の領域をタッチすることで、検索したい対象のログインＩＤが入力可能な状態となる。
【００８１】
これらの識別情報が入力された後、「検索」のシンボルがタッチされると、携帯電話１００では、安否情報検索部１０８が、入力された各識別情報を位置安否確認サーバ１２０に送信する。なお、「キャンセル」のシンボルがタッチされると、位置安否情報メニューの画面に遷移する。
【００８２】
個人設定登録／変更の画面では、図１５に示すように、グループＩＤを入力する領域、ログインＩＤを入力する領域、属性情報を入力する領域、「送信」および「キャンセル」のシンボルが表示される。「グループＩＤ（家族ＩＤ）」の表記の横にある四角の領域をタッチすることで、グループＩＤが入力可能な状態となる。また、「ログインＩＤ」の表記の横にある四角の領域をタッチすることで、ログインＩＤが入力可能な状態となる。また、「属性情報」の表記の横にある四角の領域をタッチすることで、属性情報として家族内の続柄が入力可能な状態となる。
【００８３】
これらの各情報が入力された後、「送信」のシンボルがタッチされると、携帯電話１００では、送信部１０４が、入力された各識別情報を位置安否確認サーバ１２０に送信する。これらの情報を受け付けた位置安否確認サーバ１２０では、受け付けた情報を情報記憶部１２２に記憶する。なお、「キャンセル」のシンボルがタッチされると、位置安否情報メニューの画面に遷移する。
【００８４】
［実施の形態２］
次に、本発明の実施の形態２について、図１６を用いて説明する。図１６は、本発明の実施の形態２における携帯電話およびサーバを用いた位置安否情報確認システムの構成を示す構成図である。このシステムは、携帯電話１００および位置安否確認サーバ１２０を備える。携帯電話１００は、携帯電話通信網１３０に接続されている。また、位置安否確認サーバ１２０は、インターネット１６０に接続されている。
【００８５】
携帯電話１００は、識別情報記憶部１０１，位置情報取得部１０２，緊急地震速報受信部１０３，および送信部１０４を備える。
【００８６】
識別情報記憶部１０１は、携帯電話１００を利用している利用者の識別情報（個人識別情報）を記憶する。位置情報取得部１０２は、自装置（携帯電話１００）の所在地を示す位置情報を取得する。緊急地震速報受信部１０３は、緊急地震速報を受信する。送信部１０４は、緊急地震速報受信部１０３が緊急地震速報を受信すると、識別情報記憶部１０１に記憶されている個人識別情報および位置情報取得部１０２が取得した位置情報を、設定されているサーバである位置安否確認サーバ１２０に対して送信する。
【００８７】
また、携帯電話１００は、安否情報記憶部１０５，携帯電話会社緊急地震速報受信部１０６，安否情報確認部１０７，安否情報検索部１０８，および安否情報表示部１０９を備える。
【００８８】
安否情報記憶部１０５は、利用者の操作により入力された安否情報を記憶する。携帯電話会社緊急地震速報受信部１０６は、配信される各携帯電話会社による緊急地震速報、および災害・避難情報などを受信する。安否情報確認部１０７は、利用者の指示操作により、設定されているサーバである位置安否確認サーバ１２０に対し、個人識別情報とともに位置情報の送出要求を送信する。また、安否情報確認部１０７は、利用者の指示操作により、設定されているサーバに対し、安否情報の送出要求を個人識別情報とともに送信する。
【００８９】
安否情報検索部１０８は、利用者の操作により入力された対象となる携帯電話の位置情報の送出要求を、設定されているサーバである位置安否確認サーバ１２０に対して送信する。安否情報検索部１０８は、利用者の操作により入力された対象となる携帯電話に対応する安否情報の送出要求を、設定されているサーバに対して送信する。
【００９０】
安否情報表示部１０９は、安否情報確認部１０７および安否情報検索部１０８から送信された要求に対して送出されてきた位置情報や安否情報を，自装置の表示画面（不図示）に表示する。
【００９１】
位置安否確認サーバ１２０は、受信部（位置情報受信手段）１２１，情報記憶部（位置情報記憶手段）１２２，情報解析部１２３，および位置安否情報配信部（送信手段）１２４を備える。
【００９２】
受信部１２１は、携帯電話１００から送信された位置情報を個人識別情報とともに受信する。また、受信部１２１は、携帯電話１００や端末装置１７０より送信された安否情報の送出要求を、識別情報とともに受信する。情報記憶部１２２は、受信部１２１が受信した位置情報を個人識別情報に対応付けて記憶する。
【００９３】
また、情報解析部１２３は、個人識別情報とともに受け付けた情報送信要求により、個人識別情報に対応付けられている所属グループ番号に含まれている（同一の所属グループ番号の）他の個人識別情報に対応する位置情報や安否情報を、情報記憶部１２２より取り出す。また、情報解析部１２３は、所属グループ番号とともに安否情報の送信要求が受け付けられると、受け付けられた所属グループ番号に含まれている個人識別情報に対応付けられている位置情報や安否情報を、情報記憶部１２２より取り出す。
【００９４】
位置安否情報配信部１２４は、情報解析部１２３が情報記憶部１２２より取り出した位置情報や安否情報を、要求元の携帯電話１００や端末装置１７０に送出する。
【００９５】
また、実施の形態２におけるシステムは、携帯電話通信網１３０に接続する携帯電話会社緊急地震速報発信部１３１およびインターネット１６０に接続する緊急地震速報サーバ１４０を備える。緊急地震速報サーバ１４０は、気象庁１５０より配信された緊急地震速報を、インターネット１６０を介して受信部１４１で受信し、緊急地震速報配信部１４２によりインターネット１６０を介して携帯電話通信網１３０に配信する。また、気象庁１５０より緊急地震速報が配信されると、携帯電話会社緊急地震速報発信部１３１より緊急地震速報が配信される。なお、インターネット１６０には、端末装置１７０が接続されている。
【００９６】
上述した構成は、前述した実施の形態１と同様である。実施の形態２では、位置安否確認サーバ１２０が、新たに、通知先情報記憶部１２５および位置情報要求部１２６を備える。
【００９７】
通知先情報記憶部１２５は、情報記憶部１２２に記憶されている位置情報を通知する対象となる通知先の情報が記憶されている。実施の形態２では、受信部１２１が通知先情報記憶部１２５に記憶されている識別情報とともに携帯電話１００から送信された位置情報を受信したことにより、通知先情報記憶部１２５に記憶されている識別情報に対応づけられている所属グループ番号と同一の所属グループ番号が対応づけられている他の識別情報の位置情報を携帯電話１００に送信（通知）する。
【００９８】
例えば、受信部１２１が、通知先情報記憶部１２５に通知先として記憶されている携帯電話１００より個人識別情報とともに位置情報を受け付けると、情報解析部１２３が、個人識別情報に対応付けられている所属グループ番号に含まれている他の個人識別情報に対応する位置情報を、情報記憶部１２２より取り出す。このようにして複数の位置情報が取り出されると、位置安否情報配信部１２４が、通知先情報記憶部１２５に記憶されている通知先に対し、複数の位置情報からなる位置情報一覧を送出する。従って、位置情報一覧は、例えば、携帯電話１００の利用者の家族全員の携帯電話の位置情報が示されたものとなる。
【００９９】
また、位置情報要求部１２６は、受信部１２１による携帯電話１００からの他の携帯電話（他携帯電話）の位置情報の送出要求の受け付けに対し、要求対象の識別情報に対応する他携帯電話に位置情報の送出要求を送信する。
【０１００】
例えば、受信部１２１が、携帯電話１００より他携帯電話の携帯電話番号などの個人識別情報とともに当該他携帯電話の位置情報の送出要求を受け付けると、位置情報要求部１２６が、受け付けた個人識別情報で特定される他携帯電話に対し、位置情報の提供を要求する。この要求に対して他携帯電話より位置情報を受け付けると、位置安否情報配信部１２４が、携帯電話１００に対し、受け付けた位置情報を送信する。また、受信部が、携帯電話１００より所属グループ番号とともに他携帯電話の位置情報の送出要求を受け付けると、受け付けた所属グループ番号の個人識別情報で特定される他携帯電話に対し、位置情報の提供を要求する。この要求に対して各他携帯電話より位置情報を受け付けると、位置安否情報配信部１２４が、携帯電話１００に対し、位置情報の一覧を送信する。
【０１０１】
次に、実施の形態２におけるシステムの動作例について説明する。まず、緊急地震速報が発令されたときの動作について説明する。
【０１０２】
図１７のシーケンス図に示すように、気象庁１５０より緊急地震速報が配信（発信）されると、緊急地震速報サーバ１４０（受信部１４１）が、ステップＳ１７０１で、インターネット１６０を介して受信し、ステップＳ１７０２で、インターネット１６０を介して携帯電話通信網１３０に配信する。
【０１０３】
このようにして、携帯電話通信網１３０に緊急地震速報が配信されると、携帯電話１００では、緊急地震速報受信部１０３が受信し（ステップＳ１７０３）、自装置の表示画面（不図示）に表示する（ステップＳ１７０４）。このとき、音声および振動などにより、利用者に通知を行ってもよい。
【０１０４】
次に、携帯電話１００では、位置情報取得部１０２が、位置情報を取得する（ステップＳ１７０５）。例えば、ＧＰＳにより位置情報を取得する。また、Ｗｉ−Ｆｉ（登録商標）のアンテナ情報から位置情報を取得してもよい。また、携帯電話基地局を利用して位置情報を取得してもよい。このようにして位置情報を取得すると、携帯電話１００では、送信部１０４が、設定されているサーバである位置安否確認サーバ１２０に対し、識別情報記憶部１０１に記憶されている識別情報（携帯電話番号）とともに位置情報を送信する（ステップＳ１７０６）。
【０１０５】
以上のようにして、携帯電話１００より識別情報とともに位置情報が送信されると、位置安否確認サーバ１２０では、受信部１２１が、送信された識別情報および位置情報を、携帯電話通信網１３０およびインターネット１６０を介して受信する（ステップＳ１７０７）。次に、位置安否確認サーバ１２０では、情報記憶部１２２が、受信した位置情報を識別情報に対応付けて記憶する（ステップＳ１７０８）。また、情報記憶部１２２は、受信した位置情報に、受信した日時を対応付けて記憶する。
【０１０６】
上述した構成は、前述した実施の形態１と同様である。実施の形態２では、携帯電話１００より送信された識別情報および位置情報を受信した後、まず、情報解析部１２３が、受け付けた識別情報が通知先情報記憶部１２５に通知先として記憶されていることを確認する（ステップＳ１７０９）。
【０１０７】
受け付けた識別情報が通知先情報記憶部１２５に通知先として記憶されていることが確認されると、ステップＳ１７１０で、情報解析部１２３は、携帯電話１００の個人識別情報に対応付けられている所属グループ番号が同一の他の個人識別情報に対応する位置情報を、情報記憶部１２２より取り出す。また、位置安否情報配信部１２４が、携帯電話１００に対し、上述したように取り出された複数の位置情報からなる位置情報一覧を送出する。このようにして送信された位置情報一覧は、携帯電話１００で受信され、安否情報表示部１０９の制御により表示画面（不図示）に表示される（ステップＳ１７１１）。所属グループ番号が同一の他の個人識別情報が１つの場合、位置情報一覧は、１つの位置情報で構成されたものとなる。
【０１０８】
地震発生の直後は、回線の輻輳などにより、利用者による携帯電話の操作により、他の利用者の携帯電話に関する情報を取得することは、容易ではないものと考えられる。これに対し、実施の形態２では、上述したように、自動的に同一グループ内の利用者の携帯電話の位置情報が通知されるので、グループ内で各利用者の携帯電話に関する情報の共有が容易に実現できる。
【０１０９】
また、上述した位置情報一覧の送信および受信は、携帯電話１００で用いられているオペレーティングシステムが標準で備えているプッシュ配信機能を用いることで実現できる。いわゆるプッシュ配信サーバ機能を用いて位置情報一覧を送信すれば、携帯電話１００で自動的に受け付けられる。このように、携帯電話のオペレーティングシステムが標準で備えている機能を用いることで、新たに別のアプリケーションプログラムを起動する必要が無く、携帯電話の消費電力を抑制することができる。
【０１１０】
また、上述した位置情報一覧の通知は、例えば、緊急地震速報が配信された後、一定の時間が経過した後など、所定の条件を満たす場合に行うようにすればよい。例えば、３０秒後に位置情報一覧の通知を行うようにすれば、地震発生後の通信網の輻輳が始まる前に、上記通知を行うことができる。また、位置情報が得られていない携帯電話については、未取得である旨を通知するようにすればよい。また、グループ内の全ての位置情報が取得された段階で、位置情報一覧の通知を行うようにしてもよい。
【０１１１】
次に、携帯電話１００より位置情報の送出（送信）要求が出されたときの動作について説明する。
【０１１２】
図１８のシーケンス図に示すように、利用者の操作により携帯電話１００に他の携帯電話（他携帯電話１００ａ）の携帯電話番号などの個人識別情報とともに当該携帯電話の位置情報の送出要求が入力されると、安否情報確認部１０７が、入力された個人識別情報とともに位置情報の送信要求を位置安否確認サーバ１２０に送信する（ステップＳ１８０１）。位置安否確認サーバ１２０は、携帯電話１００に、位置情報の要求先として設定されているサーバである。なお、位置安否確認サーバ１２０に対しては、上述した入力された個人識別情報および位置情報の送信要求に加え、携帯電話１００自体の識別情報が送信される。携帯電話１００の識別情報は、識別情報記憶部１０１に記憶されている。
【０１１３】
以上のようにして送信された位置情報の送信要求，他携帯電話１００ａの個人識別情報，および携帯電話１００自体の識別情報などが、位置安否確認サーバ１２０の受信部１２１で受け付けられると（ステップＳ１８０２）、情報解析部１２３は、まず、ステップＳ１８０３で、携帯電話１００の識別情報に対応する所属グループ番号と、受け付けられた位置情報送信要求の対象となる個人識別情報に対応する所属グループ番号とが、一致することを確認する（所属判定）。
【０１１４】
両者の所属グループ番号が一致したら、ステップＳ１８０４で、位置情報要求部１２６が、要求対象の個人識別情報の他携帯電話１００ａに対して位置情報の提供を要求する通知を送信する。
【０１１５】
位置情報要求部１２６より送信された位置情報の提供を要求する通知が他携帯電話１００ａで受信されると（ステップＳ１８０５）、他携帯電話１００ａでは、位置情報取得部が、位置情報を取得する（ステップＳ１８０６）。例えば、ＧＰＳにより位置情報を取得する。また、Ｗｉ−Ｆｉ（登録商標）のアンテナ情報から位置情報を取得してもよい。また、携帯電話基地局を利用して位置情報を取得してもよい。このようにして位置情報を取得すると、他携帯電話１００ａでは、ステップＳ１８０７で、送信部が、要求元の位置安否確認サーバ１２０に対し、位置情報を送信する。
【０１１６】
以上のようにして他携帯電話１００ａより現在の位置情報が送信されると、ステップＳ１８０８で、位置安否確認サーバ１２０では、受信部１２１で送信された位置情報を受信し、情報記憶部１２２に記憶する（ステップＳ１８０９）。このようにして記憶された他携帯電話１００ａの位置情報は、位置安否情報配信部１２４により、位置情報の要求元の携帯電話１００に対して送信される（ステップＳ１８１０）。このようにして送信された位置情報は、携帯電話１００で受信され、位置情報表示部１０９の制御により表示画面（不図示）に表示される（ステップＳ１８１１）。
【０１１７】
上述では、他携帯電話の位置情報の取得を要求する場合について説明したが、これに限るものではなく、位置情報要求の対象として所属グループ番号を位置安否確認サーバ１２０に送信してもよい。この場合、位置安否確認サーバ１２０では、情報解析部１２３が、受け付けられた所属グループ番号を有する個人識別情報に対応する携帯電話に対して位置情報の提供を要求する通知を送信すればよい。また、この場合、位置情報要求元の携帯電話１００に対しては、図１７を用いた説明と同様に、位置情報一覧が送信されるようになる。
【０１１８】
このように、位置情報の要求に対し、要求されたことを契機に、対象とする他携帯電話に対して位置情報の送出要求を送信するようにしたので、記憶されている位置情報が古い場合など、最新のより正確な位置情報が提供できるようになる。また、対象とする携帯電話の位置情報が未取得である場合、位置情報が未取得である他携帯電話に対して位置情報送出の催促となる。また、このような位置情報の取得は、システムの動作確認や防災訓練などに利用することができる。
【０１１９】
なお、携帯電話，位置安否確認サーバは、ＣＰＵと主記憶装置と外部記憶装置とネットワーク接続装置となどを備えたコンピュータ機器であり、主記憶装置に展開されたプログラムによりＣＰＵが動作することで、上述した各機能が実現される。例えば、携帯電話通信網を介してダウンロードしたプログラムにより、携帯電話で上記機能を実現させるようにすればよい。また、位置安否確認サーバの各機能は、複数のコンピュータ機器に分散させるようにしてもよい。
【０１２０】
以上に説明したように、本発明によれば、緊急地震速報の直後に携帯電話より位置情報が送信されるので、通信網が輻輳する前に確実にサーバが位置情報を受信できる。また、位置情報であれば、情報量が小さく、多くの携帯電話より送信されても、通信網の輻輳が発生しにくい。少なくとも位置情報がわかれば、携帯電話の利用者の安否情報を推測できるようになる。また、通信網の輻輳が解消した段階で、詳細な安否情報が送信できる。また、本発明は、地震に限らず、津波やハリケーンなどの自然災害、テロなどの人災などの警報を受信した場合においても、これを契機として利用可能である。
【０１２１】
なお、本発明は以上に説明した実施の形態に限定されるものではなく、本発明の技術的思想内で、当分野において通常の知識を有する者により、多くの変形および組み合わせが実施可能であることは明白である。例えば、位置安否情報配信を位置安否確認サーバ１２０の位置安否情報配信部１２４により行うようにしたが、これに限るものではなく、緊急地震速報サーバ１４０で行うようにしてもよい。同様に、他携帯電話に対する位置情報の送出要求を、位置安否確認サーバ１２０の位置情報要求部１２６により行うようにしたが、これに限るものではない。例えば、携帯電話１００からの他の携帯電話（他携帯電話）の位置情報の送出要求の受け付け、所属の判定、他携帯電話への位置情報送出の要求送信（配信）を緊急地震速報サーバ１４０で行うようにしてもよい。
【符号の説明】
【０１２２】
１００…携帯電話、１０１…識別情報記憶部、１０２…位置情報取得部、１０３…緊急地震速報受信部、１０４…送信部、１０５…安否情報記憶部、１０６…携帯電話会社緊急地震速報受信部、１０７…安否情報確認部、１０８…安否情報検索部、１０９…安否情報表示部、１２０…位置安否確認サーバ、１２１…受信部（位置情報受信手段）、１２２…情報記憶部（位置情報記憶手段）、１２３…情報解析部、１２４…位置安否情報配信部（送信手段）、１３０…携帯電話通信網、１３１…携帯電話会社緊急地震速報発信部、１４０…緊急地震速報サーバ、１４１…受信部、１４２…緊急地震速報配信部、１５０…気象庁、１６０…インターネット、１７０…端末装置。
【図１】
2013066158.tif 000004
【図２】
2013066158.tif 000005
【図３】
2013066158.tif 000006
【図４】
2013066158.tif 000007
【図５】
2013066158.tif 000008
【図６】
2013066158.tif 000009
【図７】
2013066158.tif 000010
【図８】
2013066158.tif 000011
【図９】
2013066158.tif 000012
【図１０】
2013066158.tif 000013
【図１１】
2013066158.tif 000014
【図１２】
2013066158.tif 000015
【図１４】
2013066158.tif 000016
【図１５】
2013066158.tif 000017
【図１６】
2013066158.tif 000018
【図１７】
2013066158.tif 000019
【図１８】
2013066158.tif 000020
【図１３】
2013066158.tif 000021